(57)【要約】【課題】セルラオペレータの負担を軽減し、複合端末の使用可能な範囲を拡大し、利便性を向上させることのできる通信システムを得る。【解決手段】複合端末は、セルラモードと、無線ＬＡＮモードと、無線ＬＡＮ網内でセルラ網との通信を行う無線ＬＡＮローミングモードとを有する。モード制御手段１０４は、セルラモードのときは、セルラ網からの呼び出し待ちと、無線ＬＡＮ網の検知を行い、無線ＬＡＮ網を検知した場合は、無線ＬＡＮローミングモードとし、無線ＬＡＮローミングモードで、無線ＬＡＮ網からの信号を受信できなくなった場合は、セルラモードとする。【選択図】図１
2007202083.tif 000002
【特許請求の範囲】
【請求項１】
セルラ網で使用するセルラモードと、無線ＬＡＮ網で使用する無線ＬＡＮモードと、前記無線ＬＡＮ網内でセルラ網との通信を行う無線ＬＡＮローミングモードとを有し、前記セルラモードのときは、前記セルラ網からの呼び出し待ちと、前記無線ＬＡＮ網の検知を行い、前記無線ＬＡＮ網を検知した場合は、前記無線ＬＡＮ網に対して接続要求を行って、前記無線ＬＡＮローミングモードとし、かつ、無線ＬＡＮローミングモードで、無線ＬＡＮ網からの信号を受信できなくなった場合は、セルラモードとするモード制御手段を有する複合端末と、
前記無線ＬＡＮ網に接続され、前記複合端末から前記無線ＬＡＮローミングモードでの接続要求を受けた場合は、当該複合端末の前記無線ＬＡＮ網での位置登録を行うと共に、前記セルラ網に対して、当該複合端末の位置登録要求を行い、かつ、前記セルラ網から当該複合端末の呼び出しがあった場合は、これを中継し、前記複合端末から接続要求を受けなくなった場合は、当該複合端末の前記無線ＬＡＮ網での位置登録を削除する無線ＬＡＮ網位置登録サーバと、
前記セルラ網に接続され、前記無線ＬＡＮ網位置登録サーバより、前記複合端末の位置登録要求を受け取った場合は、前記複合端末を、前記無線ＬＡＮ網に位置するものとして位置登録を行い、当該複合端末との通信接続を、前記無線ＬＡＮ網を介して行うセルラ網位置登録サーバとを備えた通信システム。
【請求項２】
複合端末は、セルラモードと無線ＬＡＮモードと無線ＬＡＮローミングモードの切替を受け付けるモード選択手段を有し、モード制御手段は、前記モード選択手段で無線ＬＡＮモードが選択された場合は、当該無線ＬＡＮモードでの接続要求を行い、
無線ＬＡＮ網位置登録サーバは、前記複合端末から無線ＬＡＮモードでの接続要求を受けた場合は、無線ＬＡＮ網内のみの内線通信を行うよう位置登録することを特徴とする請求項１記載の通信システム。
【請求項３】
無線ＬＡＮ網位置登録サーバは、無線ＬＡＮローミングを行うエリアに対応した情報提供を、前記複合端末に対して行うと共に、
前記複合端末は、無線ＬＡＮローミングモードにある場合は、当該無線ＬＡＮローミングモードを示す表示を行うと共に、前記無線ＬＡＮ網位置登録サーバからの情報を表示するための表示制御手段を備えたことを特徴とする請求項１または請求項２記載の通信システム。
【発明の詳細な説明】
【技術分野】
【０００１】
この発明は、セルラモードと無線ＬＡＮモードとを有した複合端末を、無線ＬＡＮローミングする通信システムに関するものである。
【背景技術】
【０００２】
セルラと無線ＬＡＮの送受信機を備える複合端末を、セルラでは、従来通りに無線通信端末として使用し、無線ＬＡＮでは内線電話として使用する、所謂モバイルセントレックスシステムが普及し始めている。このようなモバイルセントレックスシステムにおいて、例えば、特許文献１には、複合無線端末で、片方の無線システムが使用中の場合、他方の無線システムからの呼び出しは保留する技術が開示されている。
【０００３】
【特許文献１】特開２００５−９４５３１号公報
【発明の開示】
【発明が解決しようとする課題】
【０００４】
ところで、セルラオペレータは、例えばビル地下の飲食店街など、電波の届かない不感地を解消するため、その対策を行っている。このような対策には多大の経費がかかり、セルラオペレータの負担となっている。また、複合無線端末のユーザも、不感地の存在により通信ができない場合があり、このような状態は非常に不便を感じるものであった。
【０００５】
この発明は上記のような課題を解決するためになされたもので、セルラオペレータの負担を軽減し、かつ、複合端末の使用可能な範囲を拡大し、利便性を向上させることのできる通信システムを得ることを目的とする。
【課題を解決するための手段】
【０００６】
この発明に係る通信システムは、複合端末が、セルラ網で使用するセルラモードと、無線ＬＡＮ網で使用する無線ＬＡＮモードと、無線ＬＡＮ網内でセルラ網との通信を行う無線ＬＡＮローミングモードとを有し、セルラモードのときは、セルラ網からの呼び出し待ちと、無線ＬＡＮ網の検知を行い、無線ＬＡＮ網を検知した場合は、無線ＬＡＮ網に対して接続要求を行って、無線ＬＡＮローミングモードとし、かつ、無線ＬＡＮローミングモードで、無線ＬＡＮ網からの信号を受信できなくなった場合は、セルラモードとするモード制御手段を備え、無線ＬＡＮ網位置登録サーバは、複合端末から無線ＬＡＮローミングモードでの接続要求を受けた場合は、セルラ網に対して、複合端末の位置登録要求を行い、かつ、セルラ網から複合端末の呼び出しがあった場合は、これを中継し、複合端末から接続要求を受けなくなった場合は、複合端末の無線ＬＡＮ網での位置登録を削除するようにしたものである。
【発明の効果】
【０００７】
この発明の通信システムは、無線ＬＡＮ網を用いて複合端末の無線ＬＡＮローミングを行い、セルラ網と複合端末との通信を行うようにしたので、セルラオペレータの負担を軽減し、かつ、複合端末の使用可能な範囲を拡大し、利便性を向上させることができる。
【発明を実施するための最良の形態】
【０００８】
実施の形態１．
図１は、この発明の実施の形態１による通信システムを示す構成図である。
図において、通信システムは、複合端末１００、無線ＬＡＮ網２００、インターネット３００、セルラ網４００、公衆網５００を備えている。
複合端末１００は、公衆網５００で使用するセルラモードと、無線ＬＡＮ網２００で使用する無線ＬＡＮモードと、無線ＬＡＮ網２００内でセルラ網４００との通信を行う無線ＬＡＮローミングモードとを有する端末であり、セルラ網送受信部１０１、無線ＬＡＮ網送受信部１０２、モード選択手段１０３、モード制御手段１０４、表示制御手段１０５、ディスプレイ１０６からなる。
【０００９】
セルラ網送受信部１０１は、複合端末１００におけるセルラ網４００での送受信を行うための機能部であり、無線ＬＡＮ網送受信部１０２は、無線ＬＡＮ網２００での送受信を行うための機能部である。モード選択手段１０３は、複合端末１００のユーザからのモード選択を受けて、その選択結果をモード制御手段１０４に送出する手段である。モード制御手段１０４は、セルラ網送受信部１０１または無線ＬＡＮ網送受信部１０２に対して制御を行い、各モードに対応した制御を行う手段である。即ち、セルラモードのときは、セルラ網４００からの呼び出し待ちと、無線ＬＡＮ網２００の検知を行い、無線ＬＡＮ網２００を検知した場合は、無線ＬＡＮ網２００に対して接続要求を行って、無線ＬＡＮローミングモードとし、かつ、無線ＬＡＮローミングモードで、無線ＬＡＮ網２００からの信号を受信できなくなった場合は、セルラモードとするよう制御を行う。
【００１０】
表示制御手段１０５は、無線ＬＡＮローミングモードにある場合に、このモードを示す情報や、後述するＳＩＰ兼情報配信サーバ２０２から配信される所定の情報をディスプレイ１０６に表示させるよう制御を行う手段である。また、ディスプレイ１０６は、液晶ディスプレイ等からなり、複合端末１００において、各種の情報や入力内容を表示するための表示部である。
【００１１】
無線ＬＡＮ網２００は、複合端末１００が、無線ＬＡＮ内線通信と、無線ＬＡＮローミングを行うためのネットワークであり、例えば、あるビル内に、そのビルの管理会社が設置した無線ＬＡＮ網といったものである。この無線ＬＡＮ網２００は、複合端末１００との無線ＬＡＮ接続を行うための複数のアクセスポイント２０１が設置されており、そのバックボーンには、無線ＬＡＮ網位置登録サーバとしてのＳＩＰ（Session Initiation Protocol）兼情報配信サーバ２０２が設置されている。
【００１２】
ＳＩＰ兼情報配信サーバ２０２は、複合端末１００から無線ＬＡＮローミングモードでの接続要求を受けた場合は、複合端末１００の無線ＬＡＮ網２００での位置登録を行うと共に、セルラ網４００に対して、複合端末１００の位置登録要求を行い、かつ、セルラ網４００から複合端末１００の呼び出しがあった場合は、これを中継し、複合端末１００から接続要求を受けなくなった場合は、複合端末１００の無線ＬＡＮ網２００での位置登録を削除する機能を有している。
【００１３】
セルラ網４００は、複合端末１００とセルラモードで無線接続を行うためのネットワークであり、移動交換機（ＭＳＣ：Mobile Switching Center）４０１、ＳＩＰサーバ４０２、ホームメモリ局（ＨＬＲ：Home Location Register）４０３が接続されている。移動交換機４０１は、ホームメモリ局４０３の情報を用いて、各種のスイッチングを行うための交換機である。ＳＩＰサーバ４０２は、ＳＩＰ兼情報配信サーバ２０２とインターネット３００を介して接続され、ＳＩＰ兼情報配信サーバ２０２とＳＩＰを用いて情報の授受を行うためのセルラ網位置登録サーバである。また、公衆網５００は、移動交換機４０１に接続され、固定電話等が接続されるネットワークである。
【００１４】
次に、実施の形態１の動作について説明する。
複合端末１００では、セルラ／内線無線ＬＡＮ／無線ＬＡＮローミングの３つのモードを持ち、モード制御手段１０４は、セルラモードにある場合は、セルラの呼び出し待ち処理と並行して、無線ＬＡＮローミングが可能かどうか、１分間に１回チェックするため無線ＬＡＮ網送受信部１０２を起動する。こうすることにより無線ＬＡＮのローミングサービス発見のための電力消費を抑えることができる。
【００１５】
複合端末１００は、無線ＬＡＮ網２００における無線ＬＡＮローミングサービスのビーコンを捕捉すると、モード制御手段１０４は、無線ＬＡＮローミングモードに切り替える。そして、モード制御手段１０４は、ＳＩＭ（Subscriber Identity Module）の認証情報と共に、ＩＮＶＩＴＥメッセージをＳＩＰ兼情報配信サーバ２０２に送信する。尚、ＳＩＰ兼情報配信サーバ２０２のアドレスは、複合端末１００にＤＨＣＰにて与えられるアドレスから固定された下桁数により特定できる。例えば、ＳＩＰ兼情報配信サーバ２０２のＩＰアドレスとして、常に下桁数に２が与えられているとすると、ＤＨＣＰで192.168.1.16といったＩＰアドレスが与えられた複合端末１００は、192.168.11.2がＳＩＰ兼情報配信サーバ２０２のＩＰアドレスだと知ることができる。
【００１６】
無線ＬＡＮ網２００のＳＩＰ兼情報配信サーバ２０２は、ビジターである複合端末１００からのＩＮＶＩＴＥメッセージを受け取ると、ＳＩＭ情報を元にセルラオペレータのＳＩＰサーバ（＝ＳＩＰサーバ４０２）を知り、インターネット３００経由でセルラオペレータのＳＩＰサーバ４０２にこのＩＮＶＩＴＥメッセージを転送する。
【００１７】
ＳＩＰサーバ４０２は、ＳＩＭデータを検証し、該当する電話番号の複合端末１００が無線ＬＡＮローミングを使用中であることを移動交換機４０１に伝え、移動交換機４０１は、ホームメモリ局４０３の当該複合端末のステートをローミング中とする。
【００１８】
複合端末１００では、無線ＬＡＮローミングモードにおいて、自身から電話をかけた場合、ＲＩＮＧメッセージがＳＩＰ兼情報配信サーバ２０２からＳＩＰサーバ４０２に転送され、ＳＩＰサーバ４０２にて音声パケットデータが音声データに変換される。無線ＬＡＮローミングモードにて移動交換機４０１はセッションを作るので、セルラオペレータの図示しない課金データベースにはその旨記録される。
【００１９】
また、セルラオペレータは無線ＬＡＮ網オペレータに対してペイバックを行う。そして、課金の契約はセルラ網４００からの着信時にも適用される。即ち、セルラオペレータは、無線ＬＡＮ網オペレータによって不感地が解消されるため、その見返りとしてペイバックを行うものである。また、課金は発信者が負担するが、無線ＬＡＮローミング中の複合端末１００がセルラ網４００から着信を受けた場合にも、無線ＬＡＮ網オペレータは何らかの利益を得ることができる。
【００２０】
図２は、移動交換機４０１の複合端末１００の呼び出し動作を示すフローチャートである。
移動交換機４０１は、複合端末１００が、無線ＬＡＮローミング中であるかを判断し（ステップＳＴ１）、そうであった場合は、ＳＩＰサーバ４０２経由で端末呼び出しを行い（ステップＳＴ２）、そうでなければセルラ網４００にて端末呼び出し、即ちＲＩＮＧコマンドの発行を行う（ステップＳＴ３）。
【００２１】
ＳＩＰサーバ４０２は、セッションが成立すると音声のコーディングを行い、パケット化する。これ以降のＳＩＰサーバ４０２とＳＩＰ兼情報配信サーバ２０２とのＳＩＰを用いた通信処理や、無線ＬＡＮ網２００における複合端末１００との無線ＬＡＮによる動作は公知であるため、ここでの説明は省略する。
【００２２】
一方、複合端末１００では、無線ＬＡＮローミングモードにて、節電のため５秒毎にＲＩＮＧメッセージの有無をチェックしている。このとき、ＳＩＰ兼情報配信サーバ２０２と接続できなくなれば、モード制御手段１０４は、無線ＬＡＮ網２００のサービス圏を離脱したと判断し、モードをセルラモードに切り替える。
【００２３】
また、ＳＩＰ兼情報配信サーバ２０２は、一定時間（１５秒）、複合端末１００からのＩＮＶＩＴＥアクセスがないと、複合端末１００がサービス圏を離脱したと判断し、その複合端末１００をエントリから削除し、ＳＩＰサーバ４０２にも削除の旨を通知する。
【００２４】
ＳＩＰサーバ４０２は、移動交換機４０１に対して同様に通知し、移動交換機４０１は、該当する複合端末１００のエントリの無線ＬＡＮローミングのステートをセルラに切り替え、ＳＩＰサーバ４０２自身もエントリの削除を行う。
【００２５】
複合端末１００はセルラモードになると、モード制御手段１０４は、セルラ網送受信部１０１を用いてセルラ網４００との接続を行う。セルラモード時における複合端末１００の動作は、通常のセルラ端末と同様であるため、ここでの説明は省略する。
【００２６】
以上のように、実施の形態１の通信システムによれば、セルラ網で使用するセルラモードと、無線ＬＡＮ網で使用する無線ＬＡＮモードと、無線ＬＡＮ網内でセルラ網との通信を行う無線ＬＡＮローミングモードとを有し、セルラモードのときは、セルラ網からの呼び出し待ちと、無線ＬＡＮ網の検知を行い、無線ＬＡＮ網を検知した場合は、無線ＬＡＮ網に対して接続要求を行って、無線ＬＡＮローミングモードとし、かつ、無線ＬＡＮローミングモードで、無線ＬＡＮ網からの信号を受信できなくなった場合は、セルラモードとするモード制御手段を有する複合端末と、無線ＬＡＮ網に接続され、複合端末から無線ＬＡＮローミングモードでの接続要求を受けた場合は、複合端末の無線ＬＡＮ網での位置登録を行うと共に、セルラ網に対して、複合端末の位置登録要求を行い、かつ、セルラ網から複合端末の呼び出しがあった場合は、これを中継し、複合端末から接続要求を受けなくなった場合は、複合端末の無線ＬＡＮ網での位置登録を削除する無線ＬＡＮ網位置登録サーバと、セルラ網に接続され、無線ＬＡＮ網位置登録サーバより、複合端末の位置登録要求を受け取った場合は、複合端末を、無線ＬＡＮ網に位置するものとして位置登録を行い、複合端末との通信接続を、無線ＬＡＮ網を介して行うセルラ網位置登録サーバとを備えたので、セルラオペレータの不感地対策に対する負担を軽減し、かつ、複合端末の使用可能な範囲を拡大し、ユーザの利便性を向上させることができる。
【００２７】
実施の形態２．
実施の形態２における通信システムの図面上の構成は図１と同様であるため、図１を援用して説明する。
図１において、モード選択手段１０３は、ユーザからのモード選択結果を受け付ける。モード選択が無線ＬＡＮモードであった場合、モード制御手段１０４は無線ＬＡＮ網送受信部１０２を用いて無線ＬＡＮモードとしての制御を行う。即ち、複合端末１００は内線端末としての動作を行い、モード制御手段１０４は、ＳＩＭの認証情報と共に、ＩＮＶＩＴＥメッセージをＳＩＰ兼情報配信サーバ２０２に送信する。ＳＩＰ兼情報配信サーバ２０２は、複合端末１００より無線ＬＡＮモードの接続要求があると、無線ＬＡＮ網２００内のみの内線通信を行うよう位置登録を行い、ＶｏＩＰ（Voice Over IP）による内線無線ＬＡＮの制御を行う。ここで、ＶｏＩＰによる内線無線ＬＡＮの制御の内容は公知であるため、ここでの説明は省略する。
【００２８】
以上のように、実施の形態２の通信システムによれば、複合端末は、セルラモードと無線ＬＡＮモードと無線ＬＡＮローミングモードの切替を受け付けるモード選択手段を有し、モード制御手段は、モード選択手段で無線ＬＡＮモードが選択された場合は、無線ＬＡＮモードでの接続要求を行い、無線ＬＡＮ網位置登録サーバは、複合端末から無線ＬＡＮモードでの接続要求を受けた場合は、無線ＬＡＮ網内のみの内線通信を行うよう位置登録するようにしたので、複合端末は、無線ＬＡＮローミングだけでなく、無線ＬＡＮ網内における通常の内線端末としても使用することができる。
【００２９】
実施の形態３．
実施の形態３において、図面上の構成は実施の形態１と同様であるため、図１を援用して説明する。
実施の形態３では、表示制御手段１０５は、モード制御手段１０４が無線ＬＡＮローミングモードの制御を行っている場合、ディスプレイ１０６に、これを示す表示を行うよう構成されている。また、ＳＩＰ兼情報配信サーバ２０２では、複合端末１００を無線ＬＡＮローミングとして管理している場合は、所定の情報をこの複合端末１００に対して送出するよう構成されている。これ以外の構成は実施の形態１または実施の形態２と同様であるため、ここでの説明は省略する。
【００３０】
複合端末１００では、無線ＬＡＮローミングモードにある場合、表示制御手段１０５はディスプレイ１０６に無線ＬＡＮローミングモードにあることを表示させる。
図３は、表示の一例を示す説明図である。
尚、ここでは、無線ＬＡＮローミングモードであることを示す表示方法として、ディスプレイ１０６上での表示としているが、ＬＥＤでの表示、あるいはチャイムを鳴らすといった音声表示であってもよい。
【００３１】
また、このような無線ＬＡＮローミングモードにある場合、ユーザは、複合端末１００のボタン操作することで、無線ＬＡＮローミングを行っている無線ＬＡＮ網２００から情報を取得する。例えば、ＳＩＰ兼情報配信サーバ２０２では、配信情報として無線ＬＡＮローミングを行っているビル内案内や、店舗のクーポン情報等を用意する。複合端末１００では、このような、ＳＩＰ兼情報配信サーバ２０２からの情報配信を選択して、ディスプレイ１０６に表示させる。
図４は、情報表示の一例を示す説明図である。
この例では、無線ＬＡＮローミングを行っているビル内のフロア案内が選択表示されている。
【００３２】
以上のように、実施の形態３の通信システムによれば、無線ＬＡＮ網位置登録サーバは、無線ＬＡＮローミングを行うエリアに対応した情報提供を、複合端末に対して行うと共に、複合端末は、無線ＬＡＮローミングモードにある場合は、このモードを示す表示を行うと共に、無線ＬＡＮ網位置登録サーバからの情報を表示するための表示制御手段を備えたので、複合端末のユーザは、無線ＬＡＮローミングモードにあることを容易に知ることができ、また、無線ＬＡＮローミングのエリアのサービス地域に限定された種々の情報を取得することができる。また、無線ＬＡＮオペレータも、例えば、クーポン券の提供等により、ユーザによる店舗の利用に結びつけることができる等、複合端末のユーザからの収入も期待することができる。
【図面の簡単な説明】
【００３３】
【図１】この発明の実施の形態１による通信システムを示す構成図である。
【図２】この発明の実施の形態１における移動交換機の複合端末呼び出し動作を示すフローチャートである。
【図３】この発明の実施の形態３における無線ＬＡＮローミングモードの表示の一例を示す説明図である
【図４】この発明の実施の形態３における情報表示の一例を示す説明図である。
【符号の説明】
【００３４】
１００  複合端末、１０３  モード選択手段、１０４  モード制御手段、１０５  表示制御手段、１０６  ディスプレイ、２００  無線ＬＡＮ網、２０２  ＳＩＰ兼情報配信サーバ（無線ＬＡＮ網位置登録サーバ）、３００  インターネット、４００  セルラ網、４０２  ＳＩＰサーバ（セルラ網位置登録サーバ）。
【図１】
2007202083.tif 000003
【図２】
2007202083.tif 000004
【図３】
2007202083.tif 000005
【図４】
2007202083.tif 000006